(57)【要約】【課題】  操作に不慣れな検者でもアライメント調整が容易に行え、良好な眼底像を撮影できる。【解決手段】  被験者眼の眼底を撮影する眼底撮影光学系を配置する撮影部を持つ眼底カメラにおいて、被検者眼の角膜にアライメント用光束を投光するアライメント光投影手段と、前記アライメント光束による角膜反射光を検出し角膜頂点位置を検出する第１検出手段と、被検者眼の前眼部を撮像する撮像手段と、該撮像手段からの信号により瞳孔中心位置を検出する第２検出手段と、前記第１検出手段によって検出された角膜頂点位置と前記第２検出手段によって検出された瞳孔中心位置とに基づいて前記撮影部の誘導を行う誘導手段と、を備える。【選択図】      図５
2008006105.tif 000002
【特許請求の範囲】
【請求項１】
被験者眼の眼底を撮影する眼底撮影光学系を配置する撮影部を持つ眼底カメラにおいて、
被検者眼の角膜にアライメント用光束を投光するアライメント光投影手段と、
前記アライメント光束による角膜反射光を検出し角膜頂点位置を検出する第１検出手段と、
被検者眼の前眼部を撮像する撮像手段と、
該撮像手段からの信号により瞳孔中心位置を検出する第２検出手段と、
前記第１検出手段によって検出された角膜頂点位置と前記第２検出手段によって検出された瞳孔中心位置とに基づいて前記撮影部の誘導を行う誘導手段と、
を備えることを特徴とする眼底カメラ。
【請求項２】
請求項１の眼底カメラは、
眼底像と前眼部像とを切換え表示可能な表示手段を有し、
前記誘導手段は前記第１検出手段及び第２検出手段の検出結果に基づいて前記表示手段によって前眼部像が表示された画面上に角膜頂点を示すアライメントマークと瞳孔中心を示すアライメントマークを電子的に同時に表示することを特徴とする眼底カメラ。
【請求項３】
請求項２の眼底カメラにおいて、
被験者眼の視線を誘導する固視標の呈示位置を変更可能な固視標呈示手段を有し、
前記誘導手段は、前記アライメントマークを用いてアライメントを行うための基準となるレチクルを電子的に表示し、前記固視標呈示手段によって変更される固視標の呈示位置に応じてレチクルの表示形状を変化させることを特徴とする眼底カメラ。
【請求項４】
請求項１の眼底カメラにおいて、
前記第１検出手段によって検出される角膜頂点位置と前記第２検出手段によって検出される瞳孔中心位置に基づいて角膜頂点位置と瞳孔中心位置との間に形成される所定のアライメント基準点の位置を検出する基準点位置検出手段と、を有し、
前記誘導手段は、
該基準点位置検出手段の検出結果に基づいて前記表示手段によって前眼部像が表示された画面上に該アライメント基準点を示すアライメントマークを電子的に表示することを特徴とする眼底カメラ。
【請求項５】
請求項１の眼底カメラにおいて、
前記撮影部を駆動する駆動手段と、
前記第１検出手段によって検出される角膜頂点位置と前記第２検出手段によって検出される瞳孔中心位置に基づいて角膜頂点位置と瞳孔中心位置との間に形成される所定のアライメント基準点の位置を検出する基準点位置検出手段と、を有し、
前記誘導手段は、
該基準点位置検出手段によって検出されるアライメント基準点の位置と前記眼底撮影光学系の撮像光軸とのアライメント偏位量が所定の許容範囲を満たすように前記駆動手段を制御する制御手段と、を備えることを特徴とする眼底カメラ。
【発明の詳細な説明】
【技術分野】
【０００１】
本発明は、被験者眼の眼底を撮影する眼底カメラに関する。
【背景技術】
【０００２】
被験者眼の眼底を撮影する眼底カメラとしては、被験者眼の角膜頂点に撮影光軸をアライメントして眼底撮影を行うものが一般的である（特許文献１参照）。また、特許文献２には、被験者眼の瞳孔中心に撮影光軸をアライメントして眼底撮影を行う眼底カメラも提案されている。
【特許文献１】特開平８−２７５９２１号公報
【特許文献２】特開平１０−２９５６４４号公報
【発明の開示】
【発明が解決しようとする課題】
【０００３】
ところで、眼底の周辺撮影時では、角膜頂点と瞳孔中心の偏心が大きくなる。このため、角膜頂点にアライメントする場合、被験者眼の虹彩によって眼底照明光が遮光されてやすく、照明光量不足で眼底画像の一部が暗くなる可能性がある。また、瞳孔中心にアライメントする場合、角膜頂点にアライメントする手法と比較すると、角膜や水晶体の反射によるフレアが眼底画像に発生しやすい。
【０００４】
本発明は、上記問題点を鑑み、操作に不慣れな検者でもアライメント調整が容易に行え、良好な眼底像を撮影できる眼底カメラを提供することを技術課題とする。
【課題を解決するための手段】
【０００５】
上記課題を解決するために、本発明は以下のような構成を備えることを特徴とする。
【０００６】
（１）  被験者眼の眼底を撮影する眼底撮影光学系を配置する撮影部を持つ眼底カメラにおいて、
被検者眼の角膜にアライメント用光束を投光するアライメント光投影手段と、
前記アライメント光束による角膜反射光を検出し角膜頂点位置を検出する第１検出手段と、
被検者眼の前眼部を撮像する撮像手段と、
該撮像手段からの信号により瞳孔中心位置を検出する第２検出手段と、
前記第１検出手段によって検出された角膜頂点位置と前記第２検出手段によって検出された瞳孔中心位置とに基づいて前記撮影部の誘導を行う誘導手段と、
を備えることを特徴とする。
（２）  （１）の眼底カメラは、
眼底像と前眼部像とを切換え表示可能な表示手段を有し、
前記誘導手段は前記第１検出手段及び第２検出手段の検出結果に基づいて前記表示手段によって前眼部像が表示された画面上に角膜頂点を示すアライメントマークと瞳孔中心を示すアライメントマークを電子的に同時に表示することを特徴とする。
（３）  （２）の眼底カメラにおいて、
被験者眼の視線を誘導する固視標の呈示位置を変更可能な固視標呈示手段を有し、
前記誘導手段は、前記アライメントマークを用いてアライメントを行うための基準となるレチクルを電子的に表示し、前記固視標呈示手段によって変更される固視標の呈示位置に応じてレチクルの表示形状を変化させることを特徴とする。
（４）  （１）の眼底カメラにおいて、
前記第１検出手段によって検出される角膜頂点位置と前記第２検出手段によって検出される瞳孔中心位置に基づいて角膜頂点位置と瞳孔中心位置との間に形成される所定のアライメント基準点の位置を検出する基準点位置検出手段と、を有し、
前記誘導手段は、
該基準点位置検出手段の検出結果に基づいて前記表示手段によって前眼部像が表示された画面上に該アライメント基準点を示すアライメントマークを電子的に表示することを特徴とする。
（５）  （１）の眼底カメラにおいて、
前記撮影部を駆動する駆動手段と、
前記第１検出手段によって検出される角膜頂点位置と前記第２検出手段によって検出される瞳孔中心位置に基づいて角膜頂点位置と瞳孔中心位置との間に形成される所定のアライメント基準点の位置を検出する基準点位置検出手段と、を有し、
前記誘導手段は、
該基準点位置検出手段によって検出されるアライメント基準点の位置と前記眼底撮影光学系の撮像光軸とのアライメント偏位量が所定の許容範囲を満たすように前記駆動手段を制御する制御手段と、を備えることを特徴とする。
【発明の効果】
【０００７】
本発明によれば、操作に不慣れな検者でもアライメント調整が容易に行え、良好な眼底像を撮影できる。
【発明を実施するための最良の形態】
【０００８】
以下、本発明に係る実施形態を図面に基づいて説明する。図１は本実施形態に係る眼底カメラの外観構成図である。
【０００９】
眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被験者眼Ｅに対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、眼底観察像や眼底撮影像を表示するモニタ８が設けられている。
【００１０】
図２は、撮影部３に収納される光学系及び制御系の概略構成図である。光学系は、照明光学系１０、眼底観察・撮影光学系３０、アライメント指標投影光学系５０、前眼部観察光学系６０、固視標呈示光学系７０から大別構成されている。
【００１１】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１２】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被験者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。
【００１３】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１４】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被験者眼Ｅの瞳孔付近で一旦収束した後、拡散して被験者眼眼底部を照明する。
【００１５】
また、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。
【００１６】
また、撮影光源１４の発光により、眼底は可視光により照明され、眼底からの反射光は対物レンズ２５、孔あきミラー２２の開口部、撮影絞り３１、フォーカシングレンズ３２、結像レンズ３３、跳ね上げミラー３４を経て二次元撮像素子３５に結像する。
【００１７】
＜アライメント指標投影光学系＞  被験者眼の角膜にアライメント用光束を投光するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被験者眼Ｅの角膜に無限遠の指標を投影し、第２指標投影光学系は被験者眼Ｅの角膜に有限遠の指標を投影する構成となっている。なお、第２指標投影光学系は、投影される指標光束が被験者眼の瞳孔にかからないように、第１指標投影光学系によりも下側に設けられている。
【００１８】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、アライメント用光束による角膜反射光が二次元撮像素子６５に検出される。二次元撮像素子６５の出力は制御部８０に入力され、図６に示すようにモニタ８には二次元撮像素子６５に撮像された前眼部像Ｆが表示される。なお、前眼部観察光学系６０は、被験者眼に対する装置本体のアライメント状態を検出する役割を兼用する。
【００１９】
また、孔あきミラー２２の穴周辺には、被験者眼の角膜上に光学アライメント指標（ワーキングドットＷ１）を形成するための２つの赤外光源５５（中心波長８８０ｎｍ）が光軸Ｌ１を中心に左右対称に配置される。なお、光源５５としては、光ファイバの端面を孔あきミラー２２の近傍位置に配置し、その光ファイバに赤外光を導くものとして構成することもできる。ここで、光源５５による角膜反射光は、被験者眼Ｅと撮影部３（装置本体）との作動距離が適切になったとき、眼底と略共役位置に配置された撮像素子３８の撮像面上に結像するようになっている。上記の構成は、被験者眼の眼底を観察しながらアライメントの微調整を行うための指標投影光学系として用いられる。この場合、眼底観察光学系３０は、光源５５による角膜反射像を撮像素子３８に導く役割を兼用する。
【００２０】
＜固視標呈示光学系＞  被験者眼の視線を誘導するための固視標呈示光学系７０は、赤色の光源７４、開口穴が形成された８個の遮光板７１を持つ遮光板７１、リレーレンズ７５を備え、ダイクロイックミラー３７を介して跳ね上げミラー３４から対物レンズ２５までの観察光学系３０の光路を共用する。８個の遮光板７１は、それぞれ開口穴７１ａ〜７１ｈを備える。ディスク板７２はパルスモータ７３により回転駆動され、各遮光板７１が選択的に光源７４の前に配置されると、固視標は図３に示す様に、開口穴７１ａ〜７１ｈに対応して、光軸Ｌ２に対し８個の位置９１Ｌ、９１Ｒ、９２〜９７に呈示される。なお、上記構成の詳しい構成については、特開２００４−２９０５３５号公報を参考にされたい。
【００２１】
固視標からの光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して被験者眼眼底に集光し、被検者は所定の開口穴７１ａ〜７１ｈのいずれかからの光束を固視標として視認する。
【００２２】
固視標呈示光学系７０は、眼底中心部を撮影する標準位置と眼底周辺部を撮影する周辺位置とに固視標の呈示位置を変更可能な構成となっている。すなわち、開口穴７１ｂに対応する固視標位置９１Ｒは、右眼の黄班、視神経乳頭をバランスよく含む眼底後極部付近を中心として撮影するときに使用するものであり、この固視標位置９１Ｒが右眼撮影時の標準位置とされる。一方、開口穴７１ａに対応する固視標位置９１Ｌは左眼の黄班、視神経乳頭をバランスよく含む眼底後極部付近を中心に撮影するときに使用するものであり、この固視標位置９１Ｌが左眼撮影時の標準位置とされる。そして、開口穴７１ｃ〜７１ｈに対応する固視標位置９２〜９７が周辺撮影用の位置とされる。
【００２３】
＜制御系＞  二次元撮像素子６５、３８、３５の出力は制御部８０に接続されている。制御部８０は二次元撮像素子６５に撮像された前眼部画像からアライメント指標を検出処理し、二次元撮像素子３８に撮像された眼底画像からフォーカス指標を検出処理する。また、制御部８０はモニタ８に接続され、その表示画像を制御する。制御部８０には、他に、ＸＹＺ駆動部６、移動機構４９、挿脱機構３９、挿脱機構６６、パルスモータ７３、回転ノブ４ａ、撮影スイッチ４ｂ、各種のスイッチを持つスイッチ部８４、記憶手段としてのメモリ８５、各光源等が接続されている。なお、スイッチ部８４には、眼底像のフォーカス調整を行うためのフォーカス調整スイッチ８４ａ、被験者眼に対する固視標の呈示位置を変更するための固視標呈示スイッチ８４ｂ等が配置されている。
【００２４】
以上のような構成を備える眼底カメラの動作について、眼底の中央位置を撮影する場合（標準撮影）と眼底の周辺位置を撮影する場合（周辺撮影）に分けて説明する。なお、以下の説明は右眼を撮影する場合である。
【００２５】
ここで、検者は、スイッチ８４ｂにより固視標の呈示位置を設定する。図４は眼底中心部を撮影する際のモニタ８の表示画面に表示される前眼部観察画面の一例である。図５は眼底周辺部を撮影する際にモニタ８に表示される前眼部像観察画面の一例であり、右眼における乳頭を中心とする領域を撮影する場合の図である。まず、被検者の顔を顔支持ユニット５により支持する。初期段階では、ダイクロイックミラー２４は撮影光学系３０の光路に挿入されており、二次元撮像素子６５に撮像された前眼部像がモニタ８に表示される。検者は、前眼部像がモニタ８に現れるようにジョイスティック４の操作により撮影部３を左右上下に移動する。前眼部像がモニタ８に現われるようになると、図４（ａ）もしくは図５（ａ）に示すように、４つの指標像Ｍａ，Ｍｂ，Ｍｃ，Ｍｄも現われるようになる。
【００２６】
モニタ８の画面中央には、アライメントの基準となるレチクルＬＴが制御部８０によって電子的に形成されており、レチクルＬＴの中心にある十字マークＭは、撮影光軸Ｌ１の位置を表すもの（アライメント中心）であり、円形マーク（レチクルＬＴ）はアライメントの許容範囲を表すものである。なお、レチクルＬＴの径は照明光束を眼底に入射させるために必要な瞳孔径（所要瞳孔径）を表すものであってもよい。
【００２７】
制御部８０は、撮像素子６５からの撮像信号から４つの指標像Ｍａ〜Ｍｄの座標位置を求め、無限遠の光束で形成される指標像Ｍａと指標像Ｍｂの中間点の座標を角膜頂点位置の座標として検出する。また、制御部８０は、撮像素子６５からの撮像信号から被験者眼の瞳孔部分を抽出し、抽出された瞳孔部分から瞳孔中心を検出する。そして、瞳孔中心位置の座標を検出する。この場合、被験者眼の瞳孔部分は、他の部分より暗く撮像されるため、例えば、周囲（虹彩）の光量と比較することにより抽出が可能である。そして、瞳孔中心は、例えば、抽出された瞳孔部分の重心を求めることで検出が可能である。
【００２８】
制御部８０は、角膜頂点の位置が検出されると、その位置に対応するモニタ８の位置にアライメント指標（マーク）Ｃ１を電子的に表示する。被験者眼に対して装置本体が相対的にＸＹ方向に移動すると、それに伴って指標像Ｍａ及びＭｂの座標位置が移動するので、アライメント指標Ｃ１は常に指標像ＭａとＭｂの中間点、すなわち、モニタ８上の前眼部像における略角膜頂点に位置するように移動して表示される。
【００２９】
また、制御部８０は、瞳孔中心の位置が検出されると、その位置に対応するモニタ８の位置にアライメント指標（マーク）Ｐ１を電子的に表示する。被験者眼に対して装置本体が相対的にＸＹ方向に移動すると、それに伴って瞳孔中心位置が移動するので、アライメント指標Ｐ１は常にモニタ８上の前眼部像における略瞳孔中心に位置するように移動して表示される。
【００３０】
また、制御部８０は、固視標の呈示位置に応じて電子的に表示されるレチクルＬＴの表示形状を変化させる。この場合、被検眼を周辺固視させる際には、視線方向の振れ量に応じて被検眼の角膜頂点と瞳孔中心との偏心量が大きくなる。そこで、アライメント偏位量が所定のアライメント許容範囲を満たしているときにレチクルＬＴの枠内にアライメント指標Ｃ１とアライメント指標Ｐ１が位置されるように、被検眼が誘導される視線方向に応じてレチクルＬＴの表示形状を大きくする。より具体的には、被験者眼の視線を左右方向に振る場合には、レチクルＬＴの円形マークを左右方向に長径を有する楕円形状（図５参照）とし、他の方向より長くしておく。また、被験者眼の視線を上下方向に振る場合には、レチクルＬＴの円形マークを上下方向に長径を有する楕円形状（図５参照）とし、他の方向より長くしておく。
【００３１】
このようにモニタ８に前眼部像とアライメント指標Ｃ１，Ｐ１、レチクルＬＴ等が表示された状態において、アライメント行う場合、検者は、図４（ｂ）もしくは図５（ｂ）に示すように、角膜頂点位置を示すアライメント指標Ｃ１と瞳孔中心位置を示すアライメント指標Ｐ１との間（好ましくは中間位置付近）が、レチクルＬＴの十字マークに位置するように、被験者眼に対して撮影部３を移動することでＸＹ方向のアライメントを行う。この場合、レチクルＬＴのマーク内にアライメント指標Ｃ１とアライメント指標Ｐ１が位置するようにアライメントを行うようにしてもよい。
【００３２】
なお、Ｚ方向のアライメント偏位量は、指標像Ｍａ，Ｍｂの間隔と指標像Ｍｃ，Ｍｄの間隔とを比較することにより算出される。ここで、制御部８０は、撮影部３が作動距離方向にずれた場合に、前述の無限遠指標Ｍａ，Ｍｂの間隔がほとんど変化しないのに対して、指標像Ｍｃ，Ｍｄの像間隔が変化するという特性を利用して、被験者眼に対する作動距離方向のアライメント偏位量を求める（詳しくは、特開平６−４６９９９号参照）。
【００３３】
そして、制御部８０は、前述のように検出されるＺ方向のアライメント偏位量に基づいてＺ方向のアライメントずれを表現するインジケータ等を表示する（図示を略す）。ここで、検者は、適正作動距離になったことを報知する表示がなされるように、Ｚ方向のアライメントを行う。
【００３４】
ここで、前眼部像の観察状態におけるＸＹＺ方向のアライメントが完了したら、検者は、スイッチ部８４に設けられた表示切換スイッチを押し、モニタ８に表示される観察像を前眼部像から眼底像に切換える。
図６は眼底周辺部を撮影する際にモニタ８に表示される眼底像の一例であり、右眼における乳頭を中心とする領域を撮影する場合の図である。
【００３５】
アライメント状態がある程度適正にされると、この眼底像では光源５５により形成される角膜反射の２つのワーキングドットＷが現われる。検者はこの眼底画像を見ながら、ワーキングドットＷのピントや眼底像のフレア等を確認し、所望する状態で撮影できるように、さらにジョイスティック４の手動操作にてアライメント状態を微調整する。また、中心に図示無きフォーカス指標投影光学系によるフォーカス指標像Ｓ１、Ｓ２が投影されるので、この指標像に基づいてフォーカス調整スイッチ８４ａを操作して、眼底のフォーカス合わせを行う。そして、アライメントの微調整及びフォーカス合わせが完了した後、検者が撮影スイッチ８３を押すことにより撮影が実行される。
【００３６】
以上のような構成とすれば、被験者眼の角膜頂点と瞳孔中心の中間位置付近に撮影光軸Ｌ１が容易にアライメントされる。よって、簡単なアライメント操作で撮影に適した位置にアライメントを行うことが可能となり、熟練者でなくとも良好な眼底画像を撮影することができる。なお、以上の説明においては、被験者眼の角膜頂点と瞳孔中心の中間位置付近に撮影光軸Ｌ１がアライメントされるように撮影部３の誘導を行うような構成としたが、被験者眼の角膜頂点と瞳孔中心との間に撮影光軸Ｌ１がアライメントされるように撮影部３の誘導を行うようにしてもよい。
【００３７】
なお、以上のような表示制御において、前述のように検出される角膜頂点と瞳孔中心の位置に基づいて角膜頂点位置と瞳孔中心位置との間に形成される所定のアライメント基準点の位置を検出し、その位置に対応するモニタ８の位置にアライメント指標Ｋ１を電子的に表示するようにしてもよい。より具体的には、図７に示すように、角膜頂点位置Ｃと瞳孔中心位置Ｐとの中間位置Ｋの座標を検出し、その位置に対応するモニタ８の位置にアライメント指標Ｋ１を電子的に表示するようにしてもよい（図８参照）。被験者眼に対して装置本体が相対的にＸＹ方向に移動すると、それに伴って角膜頂点位置と瞳孔中心位置との中間位置Ｋが移動するので、アライメント指標Ｋ１は常にモニタ８上の前眼部像における角膜頂点位置と瞳孔中心位置との中間位置に位置するように移動して表示される。ここで、検者は、アライメント指標Ｋ１がレチクルＬＴの十字マークに位置するように、被験者眼に対して撮影部３を移動することでＸＹ方向のアライメントを行う。なお、上記説明においては、モニタ８に前眼部像が表示された状態でアライメントに関する表示制御を行ったが、撮像素子３８からの信号によりモニタ８に眼底像が表示された状態においても、撮像素子６５からの信号に基づいて角膜頂点位置Ｃと瞳孔中心位置Ｐとの中間位置Ｋの座標を検出し、その位置に対応するモニタ８の位置にアライメント指標Ｋ１を電子的に表示するようにしてもよい。
【００３８】
以下に、本発明の第２の実施形態について説明する。第２の実施形態において、制御部８０は、前述のように検出される角膜頂点と瞳孔中心の位置に基づいて角膜頂点位置と瞳孔中心位置との中間位置付近に形成される所定のアライメント基準点の位置を検出し、アライメント基準点の検出位置と撮影光学系の撮影光軸Ｌ１とのアライメント偏位量を算出する。そして、制御部８０は、そのアライメント偏位量が所定の許容範囲を満たすようにＸＹＺ駆動部６を駆動制御する。より具体的には、図４及び図５に示すような前眼部観察状態において、制御部８０は、図７に示すように、角膜頂点位置Ｃと瞳孔中心位置Ｐとの中間位置Ｋの座標を検出し、アライメント基準位置Ｏ１に対する中間位置Ｋの偏位量Δｄを求める。そして、制御部８０は、偏位量Δｄが許容範囲Ａを満たすように撮影部３を自動的にＸＹ方向に移動させる。また、Ｚ方向において、制御部８０は、第１の実施形態にて示したような手法により検出されるＺ方向のアライメント偏位量に基づいて所定の適性作動距離を満たすように、撮影部３をＺ方向に移動させる。
【００３９】
ここで、ＸＹＺ方向のアライメント状態が所定のアライメント完了条件を満たしていれば、制御部８０はモニタ８の表示を前眼部像から眼底像に切換える。この場合、前眼部から眼底像に切換える旨をモニタ８等で報知するようにしてもよい。そして、眼底画像の表示に切り換わったら、第１実施形態と同様の操作により、アライメントの微調整を行い、眼底像を撮影する。この場合、眼底観察状態で、前述の許容範囲Ａよりも広い許容範囲を用いて自動アライメントを作動させるようにしてもよい。
【図面の簡単な説明】
【００４０】
【図１】図１は本実施形態に係る眼底カメラの外観構成図である。
【図２】撮影部３に収納される光学系及び制御系の概略構成図である。
【図３】固視標の呈示位置について説明する図である。
【図４】眼底中心部を撮影する際のモニタの表示画面に表示される前眼部観察画面の一例である。
【図５】眼底周辺部を撮影する際にモニタに表示される前眼部像観察画面の一例である。
【図６】モニタの画面上に眼底像が表示された際の図である。
【図７】角膜頂点位置Ｃと瞳孔中心位置Ｐとの中間位置Ｋの座標の検出手法について説明する図である。
【図８】眼底周辺部を撮影する際にモニタに表示される前眼部像観察画面の一例であって、アライメント指標Ｋ１を電子的に表示した際の観察画面である。
【符号の説明】
【００４１】
３  撮影部（装置本体）
３０  眼底観察・撮影光学系
８  表示モニタ
５０  アライメント指標投影光学系
６０  前眼部観察光学系
６５  二次元撮像素子
７０  固視標呈示光学系
８０  制御部
Ｃ  角膜頂点位置
Ｐ  瞳孔中心位置
Ｋ  中間位置
Δｄ  アライメント偏位量
Ａ  アライメント許容範囲
Ｃ１  角膜頂点位置を示すアライメント指標
Ｐ１  瞳孔中心位置を示すアライメント指標
Ｋ１  中間位置を示すアライメント指標
ＬＴ  レチクル
Ｍａ〜Ｍｄ  アライメント指標像
【図１】
2008006105.tif 000003
【図２】
2008006105.tif 000004
【図３】
2008006105.tif 000005
【図４】
2008006105.tif 000006
【図５】
2008006105.tif 000007
【図６】
2008006105.tif 000008
【図７】
2008006105.tif 000009
【図８】
2008006105.tif 000010